(57)【要約】【課題】壁に収納及び引出し可能に埋め込まれた埋め込み型多機能テレビジョン受像機。【解決手段】この埋め込み型多機能テレビジョン受像機は、前側に設けられた収納部、一側に設けられた複数の入力キーを有する入力部、放送テレビジョン信号を受信して出力するテレビジョン信号受信回路部、前記テレビジョン信号受信回路部から受信したオーディオ信号を出力するためのスピーカー、及び前記埋め込み型多機能テレビジョン受像機を制御するための制御部を含む本体部と、前記本体部の前記収納部に対して収納及び引出しされ、前記テレビジョン信号受信部から受信した映像信号を表示するモニタ部と、一端部が前記収納部に連結され、他端部が前記モニタ部に連結される連結部とを含む。【選択図】図３
2007515840.tif 000002
【特許請求の範囲】
【請求項１】
壁に埋め込まれる埋め込み型多機能テレビジョン受像機において、
前側に設けられた収納部、一側に設けられた複数の入力キーを有する入力部、放送テレビジョン信号を受信して出力するテレビジョン信号受信回路部、前記テレビジョン信号受信回路部から受信したオーディオ信号を出力するためのスピーカー、及び前記埋め込み型多機能テレビジョン受像機を制御するための制御部を含む本体部と；
前記本体部の前記収納部に対して収納及び引出しされ、前記テレビジョン信号受信部から受信した映像信号を表示するモニタ部と；
一端部が前記収納部に連結され、他端部が前記モニタ部に連結される連結部と；
を含むことを特徴とする、埋め込み型多機能テレビジョン受像機。
【請求項２】
前記連結部は、
複数の折畳型支持部を含み、
前記一端部は前記連結部の所定位置に固定され、
前記他端部は前記モニタ部の後側に設けられた回動装置に左右回動可能にヒンジで連結されることを特徴とする、請求項１に記載の埋め込み型多機能テレビジョン受像機。
【請求項３】
前記モニタ部は、前記モニタ部の後側に一体的に形成された挿入突起をさらに含み、
前記本体部は、前記挿入突起が挿入されて固定される突起孔が形成され、前記本体部の両側に一体的に形成されたブラケットをさらに含むことを特徴とする、請求項１又は２に記載の埋め込み型多機能テレビジョン受像機。
【請求項４】
前記埋め込み型多機能テレビジョン受像機は、前記モニタ部の両側に形成された把持部をさらに含むことを特徴とする、請求項１又は２に記載の埋め込み型多機能テレビジョン受像機。
【請求項５】
前記テレビジョン信号受信回路部は、
アンテナを通じて受信した放送データを映像データ及びオーディオデータに分離して出力するテレビジョンチューナーと；
前記テレビジョンチューナーから出力された前記映像データを復調して出力する映像処理部と；
前記テレビジョンチューナーから出力された前記オーディオデータをオーディオ信号に復調して出力するオーディオ出力部と；
を含むことを特徴とする、請求項１に記載の埋め込み型多機能テレビジョン受像機。
【請求項６】
前記本体部は、
使用者の音声を電気的音声信号に変換して出力する本体マイクロホンと；
インターホンに設けられたカメラ及びインターホンマイクロホンから受信した訪問者の映像信号及びオーディオ信号をインターホンに出力するインターホン処理部と；
前記テレビジョンチューナー及び前記インターホン処理部から入力された前記映像信号のいずれか一つを前記映像処理部に出力する映像選択部と；
前記テレビジョンチューナー及び前記インターホン処理部から入力された前記オーディオ信号のいずれか一つを前記オーディオ出力部に出力するオーディオ選択部と；
を含むことを特徴とする、請求項５に記載の埋め込み型多機能テレビジョン受像機。
【請求項７】
前記本体部は、電話線を通じて受信したリング信号及びオーディオ信号を前記オーディオ選択部に出力し、前記本体部から出力された前記オーディオ信号を前記電話線を通じて伝送する電話回路部をさらに含むことを特徴とする、請求項６に記載の埋め込み型多機能テレビジョン受像機。
【請求項８】
前記本体部は脱臭装置をさらに含み、
前記脱臭装置は、
担子菌の菌糸体胞嚢と；
電熱装置が内蔵され、プラスチック、セラミック及びガラスのいずれか一つからなる加熱部と；
を含むことを特徴とする、請求項６に記載の埋め込み型多機能テレビジョン受像機。
【請求項９】
前記本体部は、家庭の家庭用電気製品に対して操作命令を受信及び伝送するために、家庭に取り付けられたホームオートメーションを制御するコンピュータに電気的に連結されたホームオートメーションインターフェースをさらに含むことを特徴とする、請求項１に記載の埋め込み型多機能テレビジョン受像機。
【請求項１０】
壁に埋め込まれた埋め込み型多機能テレビジョン受像機において、
前側に形成された収納部と、テレビジョン信号を受信し出力するテレビジョン信号受信回路部と、前記埋め込み型多機能テレビジョン受像機の全ての装置を制御する制御部を含むハウジングと、オーディオ信号を出力するため、複数の入力ボタン及びスピーカーを備える入力部を含むケースとを含む本体部と；
前記収納部に対して収納及び引出しされるものであって、前記テレビジョン信号受信回路から出力された映像信号を表示するディスプレイ部、及び前記テレビジョン信号受信回路から出力された前記映像信号を前記ディスプレイ部が表示するのに適したディスプレイデータに変換し、変換された前記映像信号を出力する映像処理回路を含むモニタ部と；
前記テレビジョン信号受信回路から出力されたテレビジョン信号を前記映像処理回路に伝送するケーブルと；
前記収納部の一側に固定され、第１ヒンジシャフト、前記第１ヒンジシャフトと一体的に形成された第１ヒンジベース、及び孔を有する第１回動部と、前記モニタ部の後側に固定され、第２ヒンジシャフト、前記第２ヒンジシャフトと一体的に前記ケーブルが通過する中空のケーブル通路を有する第２回動部と、一端が前記第１回動部にヒンジで連結され、他端が前記第２回動部にヒンジで連結される支持台とを含む連結部と；
を含むことを特徴とする埋め込み型多機能テレビジョン受像機。
【請求項１１】
前記埋め込み型多機能テレビジョン受像機は、
前記第１回動部が前記収納部に固定される部位に挿入され、前記ケーブルが通過するスリットが形成された第１防水パッキングと；
前記第２回動部が前記モニタ部の後側に固定される部位に挿入され、前記ケーブルが通過するスリットが形成された第２防水パッキングと；
をさらに含むことを特徴とする、請求項１０に記載の埋め込み型多機能テレビジョン受像機。
【請求項１２】
前記ケースは、
上広下狭の構造に前記ケースと一体的に形成され、前記ケースに浸透した水、水分、又は湿気を前記入力部及び前記スピーカーを通じて案内するガイドプレートと；
前記ケースの底面に設けられた前記ガイドプレートによって収集された前記水、水分又は湿気を前記ケースの外部に排出する排水孔と；
をさらに含むことを特徴とする、請求項１１に記載の埋め込み型多機能テレビジョン受像機。
【請求項１３】
前記モニタ部は、前記モニタ部の後部左右側に前記モニタ部と一体的に形成されたロック突起をさらに含み、前記本体部は、前記ロック突起が形成される部位に対応する前記収納部の部位に形成され、前記ロック突起が挿入されるロック凹部をさらに含むことを特徴とする、請求項１１に記載の埋め込み型多機能テレビジョン受像機。
【請求項１４】
前記モニタ部は前記モニタ部に付着された防水処理永久磁石をさらに含み、前記本体部は前記磁石に付着されて前記収納部内に設けられる金属板をさらに含むことを特徴とする、請求項１２に記載の埋め込み型多機能テレビジョン受像機。
【請求項１５】
前記モニタ部は、前記モニタ部の側面に形成された把持部をさらに含むことを特徴とする、請求項１３又は１４に記載の埋め込み型多機能テレビジョン受像機。
【請求項１６】
前記テレビジョン信号受信回路は、
アンテナを通じて受信したテレビジョン放送信号を前記映像データ及び前記オーディオデータに分離して出力するテレビジョンチューナーと；
前記テレビジョンチューナーから出力された前記映像データを復調し、前記復調された映像データを前記ケーブルを通じて前記映像処理回路に出力する映像処理部と；
前記テレビジョンチューナーから出力された前記オーディオデータを復調し、前記復調されたオーディオデータを前記スピーカーに出力するオーディオ出力部と；
を含むことを特徴とする、請求項１０に記載の埋め込み型多機能テレビジョン受像機。
【請求項１７】
前記本体部は、
使用者の音声を電気的音声信号に変換して出力する本体マイクロホンと；
インターホンに設けられたカメラ及びインターホンマイクロホンから受信した訪問者の映像信号及びオーディオ信号を出力し、前記本体マイクロホンから受信した電気的オーディオ信号を前記インターホンに出力するインターホン処理部と；
前記テレビジョンチューナー及び前記インターホン処理部から入力された前記映像信号のいずれか一つを前記映像処理部に出力する映像選択部と；
前記テレビジョンチューナー及び前記インターホン処理部から入力された前記オーディオ信号のいずれか一つを前記オーディオ出力部に出力するオーディオ選択部と；
をさらに含むことを特徴とする、請求項１６に記載の埋め込み型多機能テレビジョン受像機。
【請求項１８】
前記本体部は、電話線を通じて受信したリング信号及びオーディオ信号を前記オーディオ選択部に出力し、前記本体マイクロホンから出力された前記オーディオ信号を前記電話線を通じて伝送する電話回路部をさらに含むことを特徴とする、請求項１７に記載の埋め込み型多機能テレビジョン受像機。
【請求項１９】
前記本体は脱臭装置をさらに含み、
前記脱臭装置は、
担子菌の菌糸体胞嚢と；
電熱装置が内蔵され、プラスチック、セラミック及びガラスのいずれか一つからなる加熱部と；
を含むことを特徴とする、請求項１８に記載の埋め込み型多機能テレビジョン受像機。
【請求項２０】
前記本体部は、家庭の家庭用電気製品に対して操作命令を受信及び伝送するために、家庭に取り付けられたホームオートメーションを制御するコンピュータに電気的に連結されたホームオートメーションインターフェースをさらに含むことを特徴とする、請求項１９に記載の埋め込み型多機能テレビジョン受像機。
【発明の詳細な説明】
【技術分野】
【０００１】
本発明は多機能テレビジョン受像機に係り、より詳しくは、住宅の壁内に埋め込まれ、壁に対して収納及び引出し可能になった多機能テレビジョン受像機に関するものである。
【背景技術】
【０００２】
急速な産業発達につれて、現代人は住宅を居住空間としてだけ見なせず、居住者に便宜さを提供するための技術が提案されている。一般に、テレビジョン受像機は居住者が多くの時間を消費している居室に設置される。しかし、現代の日常生活の大部分は食事が行われる厨房で費やされている。特に、毎日の労働時間の大部分を厨房で消費する主婦は厨房での労働をより便利にすることができる技術に関心を向けている。主婦及び家政婦が厨房で作業しているうちにもテレビジョン受像機及びオーディオセットを通じて放送番組を視聴し音楽を聞き取ることができるように、厨房のつり戸棚に付着可能なテレビジョン受像機及びオーディオセットが開発された。
【発明の開示】
【発明が解決しようとする課題】
【０００３】
しかし、これらの技術は、固定されたテレビジョン受像機及び固定されたオーディオセットのため、視聴者が所望場所でテレビを視聴するか音楽を聞き取ることができない欠点がある。
【０００４】
また、これらの装置を厨房及びそのほかの場所に設置する場合、これら装置を設置するためのさらなる空間を提供しなければならない。また、水分及び湿気形態の水と接触することにより、これら装置の内部回路が易しく損傷してしまうという問題点がある。
【課題を解決するための手段】
【０００５】
したがって、本発明は前記問題点及び／又はそのほかの問題点に鑑みてなされたもので、本発明の目的は、壁に対して収納及び引出可能な埋め込み型多機能テレビジョン受像機を提供することにある。
【０００６】
本発明のほかの目的は、壁から引き出されたモニタ部の視角を自由に調整することができる埋め込み型多機能テレビジョン受像機を提供することにある。
【０００７】
本発明のさらにほかの目的は、室外インターホンとオーディオ／映像通話を行うビデオホンの機能をする埋め込み型多機能テレビジョン受像機を提供することにある。
【０００８】
本発明のさらにほかの目的は、外部から呼を受信するための埋め込み型多機能テレビジョン受像機を提供することにある。
【０００９】
本発明のさらにほかの目的は、室内の悪臭を除去するための脱臭装置を有する埋め込み型多機能テレビジョン受像機を提供することにある。
【００１０】
本発明のさらにほかの目的は、住宅に設置されたホームオートメーションとのインターフェースを通じて、家庭用電気製品を制御することができる埋め込み型多機能テレビジョン受像機を提供することにある。
【００１１】
本発明のさらにほかの目的は、内部回路が水、水分、湿気などによって損傷することを防止する埋め込み型多機能テレビジョン受像機を提供することにある。
【００１２】
本発明によれば、前記及びほかの目的は、食器棚の底面、厨房壁、又は食卓に隣接した壁に取り付けられる本体部と、前記本体から出力される映像を表示するために連結部によって連結されるモニタとを含む埋め込み型多機能テレビジョン受像機を提供することにより達成できる。使用者が入力した操作命令に基づき、本体部は、前記本体部に取り付けられたチューナーを通じて放送テレビジョン信号を受信し、この放送テレビジョン信号から映像信号及びオーディオ信号を抽出する。本体部は抽出された映像信号をモニタ部に伝送し、抽出されたオーディオ信号をスピーカーに出力する。
【００１３】
望ましくは、モニタ部は前記本体部に形成された特定空間に連結部によって収納される。連結部の一側面は本体部に連結され、連結部の他側はモニタ部の水平回動部に連結されるので、モニタ部が本体部の特定空間に収納可能である。使用者は本体部からモニタ部を引き出すことで視角を調整することができる。モニタ部は液晶ディスプレイなどのモニタを含み、前記本体部から出力された映像信号を受信して前記モニタを通じて映像信号を表示する。したがって、使用者はテレビジョンを視聴するために収納されたモニタを容易に引き出すことができ、自分の位置に応じて視角を便利に調整することができる。
【００１４】
本発明の第２特徴によれば、本発明は、厨房壁に埋め込まれる埋め込み型多機能テレビジョン受像機を提供する。この埋め込み型多機能テレビジョン受像機は、前側に形成された収納部、テレビジョン信号を受信して出力するテレビジョン信号受信回路、埋め込み型多機能テレビジョン受像機の全ての装置を制御する制御部を含むハウジング、及び複数の入力ボタンを備えた入力部及びオーディオ信号を出力するスピーカーを含むケースを含む本体部と、テレビジョン信号受信回路から出力されたテレビジョン映像信号を伝送するケーブルを有する連結部によって前記収納部に収納され、使用者によって前記収納部から引き出され、前記ケーブルを通じて伝送された映像信号を表示するモニタ部とを含む。本体部は使用者が入力した命令と放送テレビジョン信号を受信し、この受信した放送テレビジョン信号から映像信号及びオーディオ信号を分離し、映像信号を前記ケーブルを通じて伝送し、オーディオ信号をスピーカーに伝送する。
【００１５】
前記モニタ部は、前記本体部に形成された収納部に連結部によって収納される。使用者は前記収納部からモニタ部を引き出し、自分の所望に応じて視角を調整する。モニタ部は液晶ディスプレイなどのディスプレイを含み、前記本体部から出力される映像信号を前記ディスプレイを通じて表示する。
【００１６】
前記連結部はテレビジョン信号受信回路から出力されるテレビジョン信号を映像処理回路部に伝送するためのケーブルが通過する中空のケーブル通路を含み、一端が前記収納部にピボット動作可能に取り付けられた第１回動部にヒンジで連結され、他端が前記モニタ部の後側にピボット動作可能に取り付けられた第２回動部にヒンジで連結される。したがって、使用者はテレビジョンを視聴するために収納部からモニタ部を引き出し、自分の位置に応じてモニタ部の視角を調整する。
【００１７】
本発明の前記特徴によれば、埋め込み型多機能テレビジョン受像機は、前記ケーブルが通過するスリットを有し、前記第１回動部と前記収納部との間に、かつ前記第２回動部と前記モニタ部の後側との間に挿入される防水パッキングをさらに含む。したがって、この防水パッキングは水や湿気がケーブルを通じて埋め込み型多機能テレビジョン受像機に浸透することを防止し、ケーブルは防水パッキング内に堅く位置する。
【００１８】
本発明のさらなる特徴によれば、埋め込み型多機能テレビジョン受像機は、ケースと一体的に形成され、前記入力部及び前記スピーカーを通じてケースに浸透する水、水分又は湿気ケース内の所望空間に流動するように案内する上広下狭のガイドプレートと、前記ケースの底面に設けられたガイドプレートによって収集された水、水分又は湿気をケースの外部に排出するための排水孔とをさらに含む。
【００１９】
本発明による埋め込み型多機能テレビジョン受像機は、前記モニタ部を収納するとき、前記モニタ部を前記収納部に堅く固定するための固定装置をさらに含む。よって、前記モニタ部は外力によって前記本体から引き出されることが防止される。
【００２０】
本発明の埋め込み型多機能テレビジョン受像機は、住宅の玄関で視覚的かつ聴覚的に相手方と通話するためのインターホン機能を提供する。ほとんどの家庭玄関には、家庭の居住者と通話するためのインターホンが取り付けられている。訪問者がインターホンのベルを押すと、埋め込み型多機能テレビジョン受像機の本体部はベルが押されたかを感知し、スピーカー又はモニタを通じて通知することにより、訪問者が玄関に到着したことを居住者に知らせる。
【００２１】
居住者は本体部の入力部を通じて該当読出し信号を受信する。インターホン処理部は、玄関に取り付けられたインターホンのカメラ及びインターホンマイクロホンから出力される映像信号及びオーディオ信号を受信する。インターホン処理部によって、受信された映像信号は本体部の映像選択部に出力され、受信されたオーディオ信号はオーディオ選択部に出力される。インターホン処理部は本体部に設けられた本体マイクロホンからオーディオ信号を受信し、受信したオーディオ信号を玄関インターホンに出力する。したがって、使用者は玄関の訪問者を確認し、本体部が取り付けられたところで訪問者と通話することができる。
【００２２】
本発明の埋め込み型多機能テレビジョン受像機は公衆電話網に連結されるので、テレビジョン受像機が外部から呼を受信することができる。公衆電話網を通じて外部から呼が受信されたとき、本体部は電話信号のうち呼び出し信号を検出し、この呼び出し信号を本体部に取り付けられたスピーカーを通じて出力する。使用者は、本体部が取り付けられ、複数の入力キーを有する入力部を通じて呼を受信する。電話回路部は公衆電話網から入力されたオーディオ信号をスピーカーを通じて出力する。電話回路部は本体のマイクロホンから入力された使用者のオーディオ信号を受信し、使用者のオーディオしんごうを公衆電話網に出力する。したがって、使用者は電話が備えられていない厨房やバスルームでも呼出しに自由に応えることができる。
【００２３】
本発明による埋め込み型多機能テレビジョン受像機は、担子菌の菌糸体胞嚢と、電熱装置が備えられた加熱部とをさらに含む。加熱部から赤外線が照射されると、培養された担子菌糸体が空気中の酸素を活性化させて、悪臭を発生する陽イオンを中和させることになる。
【００２４】
埋め込み型多機能テレビジョン受像機の本体部はホームオートメーションインターフェースをさらに含む。ホームオートメーションインターフェースはホームオートメーションを制御するためのコンピュータに電気的に連結される。ホームオートメーションインターフェースは住宅に設置された家庭用電気製品に対して操作命令の受信及び伝送を行う。したがって、使用者は、本発明の埋め込み型多機能テレビジョン受像機を通じて操作命令を伝送することにより、住宅に設置された多様な家庭用電気製品を制御することができる。
【発明を実施するための最良の形態】
【００２５】
図１は本発明の第１実施形態による埋め込み型多機能テレビジョン受像機の正面図、図２は本発明の第１実施形態による埋め込み型多機能テレビジョン受像機の側断面図である。同図に示すように、本発明の第１実施形態による埋め込み型多機能テレビジョン受像機は、本体部１００と、モニタ部２００と、連結部３００とを含む。本体部１００はテレビジョン信号の映像信号及びオーディオ信号を処理して出力する。モニタ部２００は本体部１００から出力された映像信号を受信して表示する。連結部３００はモニタ部２００を支持する。連結部３００の一側は本体部１００に形成された収納部１３０の所望位置に連結され、他側はヒンジにより上下左右に回動できるようにモニタ部２００に連結される。
【００２６】
本体部１００は厨房のつり戸棚の底面、食卓に隣接した壁、バスルームなどに埋め込まれる。収納部１３０は本体部の上側に設けられて本体部１００と一体化される。モニタ部２００は収納部１３０に収納される。本体部１００には、放送テレビジョン信号を受信し、受信された放送テレビジョン信号から映像信号及びオーディオ信号を抽出するためのテレビジョンチューナーを含むテレビジョン信号受信回路が取り付けられている。テレビジョン信号受信回路から出力された放送テレビジョン信号の映像信号は調整され、モニタ部２００に伝送されて表示される。放送テレビジョン信号から抽出されたオーディオ信号は、本体部１００に取り付けられたスピーカー１２０によって可聴音に変換されて出力される。
【００２７】
本体部１００は入力部１１０を含む。入力部１１０は、モニタ部２００が収納される収納部１３０の下側に設けられ、操作命令を入力するための複数の入力キーを含む。スピーカー１２０は入力部１１０の下側に設けられる。スピーカー１２０はテレビジョン信号から抽出されたオーディオ信号を可聴音に変換して出力する。
【００２８】
また、本体部１００は電源供給部を備えている。この電源供給部は住宅に供給される交流などの電源を受け、この電源を本発明の好適な実施形態による埋め込み型多機能テレビジョン受像機の本体部１００及びモニタ部２００の駆動に必要な電源に変換する。
【００２９】
モニタ部２００は、本体部１００から映像信号を受信し、受信した映像信号を表示するための液晶ディスプレイなどの小型モニタを含む。モニタ部２００は、複数の支持部３１０を有する関節式の折畳型連結部３００により本体部１００に連結され、本体部１００に形成された収納部１３０に収納される。電源供給部（図示せず）から電源がモニタ部２００に供給される。モニタ部２００は、受信した映像信号をモニタ部上に表示するために、本体部のテレビジョン信号受信回路から映像信号を受信する。
【００３０】
連結部３００の一側は本体部１００の収納部１３０の所望部位に連結され、連結部３００の他側はモニタ部２００の後側に設けられた回動部２２０に連結されるので、連結部３００がモニタ部２００を支持することになる。また、連結部３００は、本体部１００の収納部１３０にモニタ部２００を収納するために、多様な折畳型構造を有する。以後、本発明の好適な実施形態による埋め込み型多機能テレビジョン受像機の連結部３００を詳細に説明する。
【００３１】
図３は本発明の好適な実施形態による収納部１３０に対してモニタ部２００が収納されるか又は引き出される状態を示す図、図４は図３のモニタ部２００が左右に回動する状態を示す図である。同図に示すように、本発明の好適な実施形態によれば、埋め込み型多機能テレビジョン受像機１の関節式連結部３００は複数の折畳型支持部３１０を含むことができる。この折畳型支持部３１０は、折畳及び展開できるように、両端部が互いにヒンジで連結される。
【００３２】
モニタ部２００が本体部１００に収納される場合、連結部３００の折畳支持部３１０はヒンジシャフトを中心として折り畳まれる。使用者がモニタ部２００を本体部１００から引き出すとき、連結部３００の折畳型支持部３１０が展開されてモニタ部２００を収納部１３０から引き出すことになる。引き出されたモニタ部２００が使用者によって本体部１００の収納部１３０内に押し込まれるとき、支持部３００の展開された支持部３１０は再び連結部３００内に挿入される。したがって、支持部３１０はヒンジシャフトを中心として折り畳まれ、モニタ部２００は本体部１００の収納部１３０内に収納される。
【００３３】
本発明の好適な実施形態によれば、モニタ部２００の後側には回動部２２０が備えられている。この回動部２２０は、ヒンジを中心として回動できるように、支持部３１０の支持部３１０に連結される。回動部２２０の構造を図５を参照して詳細に説明する。図５は本発明の好適な実施形態による埋め込み型多機能テレビジョン受像機の連結部３００の端部とモニタ部２００の回動部２２０の構造を示す分解斜視図である。図５に示すように、モニタ部２００の後側の回動部２２０は本体部１００にヒンジ方式で連結されるので、モニタ部２００を支持するための連結部３００の端部が左右に回動することができる。
【００３４】
たとえば、モニタ部２００の後側中央に設けられた回動部２２０は、シャフトの上下側に形成されたヒンジ突起を有する半円形円筒シャフトを含むことができる。連結部３００の支持部３１０には、回動部２２０のヒンジ突起が挿入されるヒンジ凹部が形成されることができる。回動部２２０のヒンジ突起は、回動部２２０がモニタ部２００に結合されるように、連結部３００の支持部３１０のヒンジ凹部に挿入される。このような結合により、モニタ部２００は左右に回動可能になる。
【００３５】
したがって、使用者は、テレビジョンを視聴するための位置によって埋め込み型多機能テレビジョン受像機のモニタ部２００の視角を調整することができる。
【００３６】
本発明の好適な実施形態によれば、埋め込み型多機能テレビジョン受像機１の連結部３００には、それぞれの支持部３１０の内部に中空のケーブル通路３１１が形成される。モニタ部２００を駆動するのに必要な電源を本体部１００からモニタ部２００に供給するための電源ケーブルとＲＧＢ映像信号などの映像信号をモニタ部２００に伝送するためのフレキシブルＰＣＢなどのケーブルが前記中空のケーブル通路３１１を通過する。これらケーブルは支持部３１０の中空ケーブル通路３１１を通過してモニタ部２００及び本体部１００に電気的に連結される。これらケーブルが連結部３００の外部に取り付けられる場合、連結部３００の折畳及び展開運動が妨害されることができる。中空のケーブル通路３１１は連結部３００が妨害されることを防止する。また、ケーブルの損傷が防止されるので、耐久性が向上することができる。
【００３７】
本発明の好適な実施形態によれば、モニタ部２００には、その後側にモニタ部２００を固定するための挿入突起２１０が形成される。本体部１００の収納部１３０の両側にはブラケット１４０が設けられる。ブラケット１４０は収納部１３０と一体的に形成され、ブラケット１４０には、挿入突起２１０が挿入されて固定される突起孔１４１が形成される。挿入突起２１０の直径は突起孔１４１の直径より大きい。挿入突起２１０は、プレス嵌めによって突起孔１４１に挿入される。モニタ部２００と本体部１００の収納部１３０間の緊密なプレス嵌め状態を維持するため、挿入された挿入突起２１０は突起孔１４１に捕らえられる。よって、モニタ部２００が衝撃又は予期しなかった外力によって本体部１００から引き出されることを防止可能である。
【００３８】
本発明の好適な実施形態によれば、モニタ部２００は、モニタ部２００を便利に引き出すように、モニタ部２００の両側に把持部２３０（図２参照）を備えている。把持部２３０はモニタ部２００を容易に引き出すための一種の取っ手として機能するもので、モニタ部２００の両側に形成された把持凹部又はモニタ部２００の両側から外側に突出する把持段部によって形成できる。よって、使用者は、突起２１０及び突起孔１４１を挿入することにより固定されたモニタ部２００を容易に引き出すことができる。
【００３９】
前述したような埋め込み型多機能テレビジョン受像機のモニタ部２００を収納及び引出しする動作を詳細に説明すると次のようである。テレビジョンを視聴するため、使用者は、本体部１００の前側に設けられた入力部１１０を通じて埋め込み型多機能テレビジョン受像機を駆動させる。本体部１００のテレビジョン信号受信回路は、アンテナを通じて受信された放送テレビジョン信号のなかで、使用者が入力部１１０を通じて入力する放送チャンネルに相応する信号を受信する。受信した放送テレビジョン信号は映像信号とオーディオ信号に分離、抽出され、映像信号はモニタ部２００に表示され、オーディオ信号は本体部１００の前側に取り付けられたスピーカー１２０によって可聴音に変化されて出力される。
【００４０】
テレビジョンを便利に視聴するため、使用者は厨房やバスルームの壁に埋め込まれた本体部１００からモニタ部２００を引き出す。使用者はモニタ部２００の両側の把持部２３０を握り、モニタ部２００を取り出す。この際、牽引力によって挿入突起２１０が突起孔１４１から引き出されると同時に、連結部３００の折り畳まれた支持部３１０がヒンジシャフトを中心として回動して連結部３００が展開されるので、モニタ部２００が引き出される。モニタ部２００が使用者の所望程度まで十分に引き出されると、使用者は連結部３００にヒンジで連結された回動部２２０を左右に回動させることで、モニタ部２００の視角を使用者の位置と合うように自由に調整することにより、モニタ部２００上に表示されるテレビジョン放送を視聴することができる。
【００４１】
テレビジョン視聴を終了するため、使用者が本体部１００の前側の入力部１１０を通じて埋め込み型多機能テレビジョン受像機に終了信号を入力すると、埋め込み型多機能テレビジョン受像機の動作が終了するように、電源供給部は埋め込み型多機能テレビジョン受像機に供給される電源を遮断する。
【００４２】
使用者が本体部１００の収納部１３０内にモニタ部２００を押す込むと、展開された支持部３１０が再び折り畳まれ、モニタ部２００が収納部１３０に収納される。同時に、挿入突起２１０と突起孔１４１の直径差のため、モニタ部２００の後側に形成された挿入突起２１０が突起孔１４１にしっかりと嵌め合わせられる。モニタ部２００と本体部１００の収納部１３０間の堅い嵌め合わせ状態を維持するため、挿入された挿入突起２１０は突起孔１４１に捕らえられる。
【００４３】
図６は本発明の第２実施形態による埋め込み型多機能テレビジョン受像機の正面図、図７は図６の埋め込み型多機能テレビジョン受像機の平断面図、図８は本発明の第２実施形態による埋め込み型多機能テレビジョン受像機の第２回動部の組立状態を示す分解斜視図、図９は図６の埋め込み型多機能テレビジョン受像機の側断面図である。これら図に示すように、本発明の第２実施形態による埋め込み型多機能テレビジョン受像機は住宅の壁に部分的に露出するように取り付けられ、この埋め込み型多機能テレビジョン受像機は、モニタ部を収納するように前側に形成された収納部４１１、放送信号からテレビジョン信号を受信及び出力するためのテレビジョン信号受信回路及び埋め込み型多機能テレビジョン受像機の全ての装置を制御する制御部を有するハウジング４１０、及び前側に複数の入力ボタンが設けられて入力部４２１及びオーディオ信号を出力するためのスピーカーを有するケース４２０を備える本体部４００と、前記テレビジョン信号受信回路から出力された映像信号を表示するモニタ部５００と、前記本体部４００から出力されたテレビジョン信号をモニタ部５００に伝送するケーブル７００と、一端が前記収納部４１１に固定され、他端が前記モニタ部５００の後側に固定され、前記本体部４００の収納部４１１に対して収納及び引出しされるモニタ部５００を支持する連結部６００とを含む。
【００４４】
本体部４００のハウジング４１０は、たとえば厨房、バスルームなどの壁に埋め込まれるもので、ハウジング４１０の上側に形成されてモニタ部５００を収納する収納部と、テレビジョン信号を受信し、このテレビジョン信号をオーディオ信号及び映像信号に分離するテレビジョン信号受信回路とを含む。テレビジョン信号受信回路によって出力されたテレビジョン信号の映像信号は映像信号の復調過程を通じてモニタ部５００に伝送されて表示され、オーディオ信号は可聴音に変換され、この可聴音はハウジング４１０に結合されたケース４２０に取り付けられたスピーカー４２２によって出力される。
【００４５】
本体部４００のハウジング４１０は、モニタ部５００が収納される収納部４１１の下側に配置されて、使用者が命令を入力することができるようにする複数の入力ボタンを有する入力部４２１と、前記テレビジョン信号から分離されたオーディオ信号を可聴音に変換して可聴音を出力するスピーカー４２２とを含むケース４２０と結合される。
【００４６】
また、本体部４００には、電力、たとえば家庭に供給される交流を、本発明による埋め込み型多機能テレビジョン受像機の本体部４００及びモニタ部５００を駆動させるのに必要な電力に変換する電源供給回路（図示せず）が設けられる。
【００４７】
モニタ部５００は、本体部４００のテレビジョン信号受信回路から出力された映像信号を受信し、受信された映像信号を表示し、連結部６００を通じて本体部４００に連結されることにより、本体部４００に形成された収納部４１１に収納される。モニタ部５００は、本体部４００の電源供給部（図示せず）から供給される電源と本体部４００のテレビジョン信号受信回路から出力される映像信号を受け、受信した映像信号を表示する。
【００４８】
連結部６００は収納部４１１に固定されるもので、第１ヒンジシャフト（図示せず）が一体的に形成された第１ヒンジベース（図示せず）を有し、孔（図示せず）が形成された第１回動部６１０と、第２ヒンジシャフト６２１が一体的に形成された第２ヒンジベース６２２及び他のヒンジベース６２３が形成された第２回動部６２０と、ケーブル７００が通過する中空のケーブル通路６３１を有し、一端が前記第１回動部６１０にヒンジで連結され、他端が前記第２回動部６２０にヒンジで連結される支持部６３０とを含む。ケーブル７００は第１及び第２回動部６１０、６２０に形成された孔と中空ケーブル通路６３１を通過し、テレビジョン信号受信回路から出力された映像信号をモニタ部５００に伝送する。
【００４９】
連結部６００の支持部６３０は、収納部４１１に対して収納及び引出しされるモニタ部５００を支持するため、一端が収納部４１１の一側に設けられた第１回動部６１０にヒンジで連結されて水平状態で回転し、他端がモニタ部５００の後側に設けられた第２回動部６２０にヒンジで連結されて水平状態で回転する。モニタ部５００は連結部６００にヒンジで連結された第１及び第２回動部６１０、６２０により収納部４１１に対して収納及び引出しされ、またモニタ部５００は、その視角を調整するように、収納部４１１から引き出される。
【００５０】
本発明の前記特徴によれば、埋め込み型多機能テレビジョン受像機の連結部６００の第１及び第２回動部６１０、６２０には、ＲＧＢ信号などの映像信号を本体部４００からモニタ部５００に伝送し、モニタ部５００を駆動するのに必要な電源を供給するために、フレキシブルＰＣＢなどのケーブル７００が通過する孔が形成され、支持部６３０は、前記第１及び第２回動部６１０、６２０と対応して形成され、前記ケーブル７００が通過する中空のケーブル通路６３１を有する。前記ケーブル７００は、中空ケーブル通路６３１と前記支持部６３０の端部に形成された孔を通じて前記本体部４００と前記モニタ部５００に連結される。したがって、ケーブル７００が連結部６００の外側に取り付けられ、連結部６００の折畳との干渉を防止することができ、ケーブル７００の損傷を防止することができるので、ケーブル７００の耐久性が向上する。
【００５１】
第１及び第２回動部６１０、６２０は、支持部６３０にそれぞれヒンジで連結された第１ヒンジシャフト（図示せず）及び第２ヒンジシャフト６２１と一体的に形成された第１ヒンジベース（図示せず）及び第２ヒンジベース６２２を使用して、ネジなどの固定装置によって収納部４１１とモニタ部５００の後側に固定される。しかし、本発明による埋め込み型多機能テレビジョン受像機は、水、水分又は湿気が本発明による埋め込み型多機能テレビジョン受像機に浸透し得る厨房やバスルームなどの位置に装着されるため、使用者が埋め込み型多機能テレビジョン受像機に触ることができる。したがって、水、水分又は湿気が連結部６００及びケーブル７００を通じて埋め込み型多機能テレビジョン受像機に浸透して埋め込み型多機能テレビジョン受像機を損傷させることができる。
【００５２】
したがって、本発明のほかの特徴によれば、本発明による埋め込み型多機能テレビジョン受像機は、水が本発明による埋め込み型多機能テレビジョン受像機に浸透することが防止するため、ゴム材の防水パッキング８０１、８０２をさらに含む。第１防水パッキング８０１は第１回動部６１０が収納部４１１に固定される位置に挿入され、ケーブル７００が通過するスリットが形成されており、第２防水パッキング８０２は第２回動部６２０がモニタ部５００の後側に固定される位置に挿入され、ケーブル７００が通過するスリットが形成されている。
【００５３】
前記防水パッキング８０１、８０２を図８に基づいて詳細に説明する。同図に示すように、第２防水パッキング８０２はゴムから製造され、第２回動部６２０に形成されたヒンジベース６２２が第２防水パッキング８０２を加圧するように、第２防水パッキング８０２の弾性を用いて本体部４００とモニタ部５００を連結するためのケーブル７００を通じて水又は湿気が埋め込み型多機能テレビジョン受像機に浸透することを防止する。また、水または水分が埋め込み型多機能テレビジョン受像機内に浸透することを防止するために、収納部４１１が第１回動部６１０に結合される部分も図８に示すものと同様な方式で防水されるので、内部回路を損傷から保護することができる。
【００５４】
複数の入力ボタンを有する入力部４２１とテレビジョン信号受信回路から出力されるオーディオ信号を出力するためのスピーカー４２２を含むケース４２０は本体部４００のハウジング４１０の前側に付着される。特に、使用者は埋め込み型多機能テレビジョン受像機を濡れた手で操作するため、水又は湿気がケース４２０内に浸透してケース４２０内に集まる。収集された水はケース４２０内に含まれた内部回路を損傷させることができる。
【００５５】
図１０は本発明の第２実施形態による埋め込み型多機能テレビジョン受像機に用いられるケース４２０のガイドプレートを示す概略図である。同図に示すように、本発明のほかの特徴による埋め込み型多機能テレビジョン受像機のケース４２０は、ケース４２０の内部に一体的に形成され、入力部４２１及びスピーカー４２２を通じて埋め込み型多機能テレビジョン受像機内に浸透した水又は湿気がケース４２０内の所望空間に流れるようにするガイドプレート４２３と、前記ケース４２０の底面に設けられたガイドプレート４２３によって前記収集された水又は湿気を排出する排水孔４２４とをさらに含む。前記ガイドプレート４２３は、浸透した水又は湿気をケース４２０の底面に形成された所望空間内に流動するように案内するために、上広下狭の構造を有する。前記排水孔４２４はケース４２０の底面に形成され、ガイドプレート４２３によって収集された水又は湿気をケース４２０から排出させる。したがって、水がケース４２０内に集まることが防止され、内部回路が収集された水分によって損傷することが防止される。
【００５６】
以下、本発明の好適な実施形態による埋め込み型多機能テレビジョン受像機の動作を詳細に説明する。図１１は本発明の第２実施形態による埋め込み型多機能テレビジョン受像機のモニタ部の収納状態を示す図、図１２は図１１に示す本発明の第２実施形態による埋め込み型多機能テレビジョン受像機のモニタ部の引出し及び視角の調整状態を示す図である。同図に示すように、本発明の好適な実施形態による埋め込み型多機能テレビジョン受像機のモニタ部５００が収納部４２２に収納されたとき、単一支持部６３０を有する連結部６００が第１回動部６１０及び第２回動部６２０のヒンジシャフトを中心として折り畳まれる。使用者がモニタ部５００を握って引き出すとき、折り畳まれた連結部６００は第１回動部６１０及び第２回動部６２０のヒンジを中心として回動して収納部４１１から引き出される。また、使用者が前記引き出されたモニタ部５００を収納部４１１内に押し込むとき、前記連結部５００は第１回動部６１０のヒンジシャフト（図示せず）及び第２回動部６２０のヒンジシャフト６２１を中心として折り畳まれて、再び収納部４１１に収納される。
【００５７】
モニタ部５００の後側に付着された第２回動部６２０は、上下側に突出ヒンジを有する半円形円筒シャフトを含むことができ、前記連結部６００の支持部６３０には第２回動部６２０の突出ヒンジが挿入されるヒンジ凹部が形成されることができる。第２回動部６２０の上下側に形成された突出ヒンジが連結部６００の支持部６３０のヒンジ凹部に挿入されるとき、モニタ部５００は水平状態で回動することができる。したがって、使用者は自分の位置によってモニタ部５００の視角を調整することができる。
【００５８】
本発明のさらなる特徴による埋め込み型多機能テレビジョン受像機は、モニタ部５００の後側に設けられて、モニタ部５００を収納部４１１内に固定する固定装置をさらに含む。前記固定装置を図１３及び図１４を参照して詳細に説明する。
【００５９】
図１３は本発明の第２実施形態による埋め込み型多機能テレビジョン受像機の固定装置を示す平断面図である。同図に示すように、モニタ部５００の後方左右側にはロック突起５１０が形成され、前記モニタ部５００のロック突起５１０の位置と対応する、前記本体部４００の収納部４１１の内部左右側には、前記ロック突起５１０が挿入されて固定されるロック凹部４１１−１が形成される。
【００６０】
使用者がモニタ部５００を収納するために本体部４００の収納部４１１内に押し込むとき、前記連結部６００が前記収納部４１１内に収納されるとともに、モニタ部５００の後側のロック突起５１０が収納部４１１の内側のロック凹部４１１−１に嵌め合わせられる。したがって、モニタ部５００と本体部４００間の連結がなされる。これにより、モニタ部５００が予期しなかった外部衝撃によって本体部４００から引き出されることが防止される。
【００６１】
図１４は本発明のほかの実施形態による埋め込み型多機能テレビジョン受像機のモニタ部の固定装置を示す平断面図である。同図に示すように、モニタ部５００の後側には永久磁石５２０が付着され、前記モニタ部５００の永久磁石５２０の位置と対応する、本体部４００の収納部４１１の位置には金属板４１１−２がネジによって固定される。また、永久磁石５２０がモニタ部５００の後側から分離されることを防止するために、永久磁石５２０は金属カバー５２１で覆われている。水又は湿気がモニタ部５００に浸透することを防止し、永久磁石５２０の付着を保障するために、前記永久磁石５２０はシリコン５２２でコートされる。
【００６２】
使用者がモニタ部５００を収納部４１１内に押し込むとき、モニタ部５００の後側の永久磁石５２０とこれと対応位置に固定された金属板４１１−２間の磁力によって、モニタ部５００が収納状態で堅く固定される。また、モニタ部５００を本体部４００に連結するために連結部６００の支持部６３０の所望位置にさらなる金属板４１１−２が取り付けられ、モニタ部５００の後側にさらなる永久磁石５２０が付着されると、モニタ部５００がより堅く固定されることができる。
【００６３】
図１５は本発明の第２実施形態による埋め込み型多機能テレビジョン受像機のモニタ部の把持部を示す図である。同図に示すように、本発明のさらなる特徴によれば、モニタ部５００を収納部４１１から便利に引き出すために、モニタ部５００の側面に把持部５３０が形成される。この把持部５３０は、モニタ部固定装置によって収納部４１１内に固定されたモニタ部を収納部４１１から便利に引き出すための握りとして作用し、凹部又は外側に突出した突起の形態にモニタ部５００の側面に形成されることができる。したがって、使用者は、モニタ部固定装置によって収納部４１１内に固定されたモニタ部５００を収納部４１１から易しく引き出すことができる。
【００６４】
埋め込み型多機能テレビジョン受像機のモニタ部５００は次のように収納部４１１に収納され引き出される。使用者は埋め込み型多機能テレビジョン受像機を視聴するために入力部４２１を通じて埋め込み型多機能テレビジョン受像機を駆動させる。本体部４００に取り付けられたテレビジョン信号受信回路は、アンテナを通じて受信された放送テレビジョン信号のうち、入力部４２１を通じて使用者が選択した放送チャンネルに対応する信号を受信し、映像信号とオーディオ信号を分離する。分離された映像信号はモニタ部５００上に表示され、分離されたオーディオ信号は可聴音に変換され、可聴音はスピーカー４２２によって出力される。
【００６５】
使用者は、埋め込み型多機能テレビジョン受像機を容易に視聴するために、厨房又はバスルームの壁に埋め込まれた本体部４００の収納部４１１に収納されたモニタ部５００を引き出す。使用者は収納部４１１に収納されたモニタ部５００の側面に形成された把持部５３０を把持してモニタ部５００を引くと、モニタ部５００のロック突起５１０及び永久磁石５２０、及び収納部４１１のロック凹部４１１−１及び金属板４１１−２を有するモニタ部固定装置によって固定されたモニタ部５００が収納部４１１から引き出される。この際、第１回動部６１０のヒンジシャフト（図示せず）を回動させることにより、折り畳まれた連結部６００が収納部４１１から引き出されるので、モニタ部５００が収納部４１１から引き出される。モニタ部５００が使用者が望む程度まで引き出されたとき、使用者は、表示されたテレビジョン放送を視聴するために、連結部６００の第２回動部６２０を使用して、自分の位置に応じてモニタ部５００の視角を調整する。
【００６６】
使用者がＴＶを停止させるために入力部４２１を通じて埋め込み型多機能テレビジョン受像機の終了命令を入力すると、電源供給部が埋め込み型多機能テレビジョン受像機の動作を終了させるために埋め込み型多機能テレビジョン受像機への電源供給を遮断する。
【００６７】
使用者が本体部４００の収納部４１１内にモニタ部５００を押し込むとき、収納部４１１の外側に位置する連結部６００は、収納部４１１に収納されるように、第１回動部６１０のヒンジシャフト（図示せず）及び第２回動部６２０のヒンジシャフト６２１を中心として回動して折り畳まれる。同時に、モニタ部５００はモニタ部５００の後側及び収納部４１１内に設けられたモニタ部固定装置によって収納部４１１に堅く固定される。
【００６８】
図１６は本発明の好適な実施形態による埋め込み型多機能テレビジョン受像機の概略ブロック図である。同図に示すように、本発明の好適な実施形態による埋め込み型多機能テレビジョン受像機は壁に埋め込まれるもので、放送テレビジョン信号を受信し、受信した放送テレビジョン信号の映像及びオーディオ信号を処理して出力する本体部９００と、本体部９００から伝送された映像信号を表示するモニタ部１１００とを含む。
【００６９】
本体部９００は、入力部９１０、テレビジョンチューナー９２０、映像処理部４３０、オーディオ出力部９４０、スピーカー９５０、電源供給部９６０、及び制御部９７０を含む。テレビジョンチューナー９２０は、アンテナを通じて受信した放送テレビジョン信号から映像信号及びオーディオ信号を分離して出力する。映像処理部９３０は、テレビジョンチューナー９２０からの映像データを映像信号に復調し、復調された映像信号を出力する。オーディオ出力部９４０はテレビジョンチューナー９２０からのオーディオデータをオーディオ信号に復調し、復調されたオーディオ信号を出力する。スピーカー９５０は、オーディオ出力部９４０によって復調されたオーディオ信号を可聴音に変換し、変換された可聴音を出力する。電源供給部９６０は埋め込み型多機能テレビジョン受像機を駆動させるのに必要な電源を供給する。制御部９７０は埋め込み型多機能テレビジョン受像機の全体動作を制御し、入力部９１０から入力された操作命令に応じて埋め込み型多機能テレビジョン受像機のそれぞれの構成要素に制御信号を出力する。
【００７０】
前記入力部９１０は公知の構造を有するもので、埋め込み型多機能テレビジョン受像機の前側で操作命令を入力するための複数のキーが備えられている。入力部９１０は使用者によって入力された操作命令を制御部９７０に伝送する。
【００７１】
テレビジョンチューナー９２０は、本体部９００のアンテナを通じて受信した放送テレビジョン信号から、使用者が視聴したい放送チャンネルと対応する放送テレビジョン信号を選択的に受信する。前記放送テレビジョン信号は映像信号及びオーディオ信号と混合された信号として受信される。前記テレビジョンチューナー９２０は前記受信された放送テレビジョン信号から映像信号及びオーディオ信号を分離して出力する。前記テレビジョンチューナー９２０によって分離された映像信号は映像処理部９３０に伝送され、オーディオ信号はオーディオ出力部９４０に伝送される。テレビジョンチューナー９２０は、ＮＴＳＣ型チューナー、ＰＡＬ型チューナー、又はＮＴＳＣ信号及びＰＡＬ信号の両者とも受信するテレビジョンチューナーなどの従来のアナログ放送チューナーであることができる。本発明のほかの実施形態によれば、テレビジョンチューナー９２０は、衛星に基づくデジタルマルチメディア放送型チューナー、または無線ＬＡＮに基づくマルチメディア放送などの移動通信マルチメディア放送型チューナーであることもできる。
【００７２】
本発明の好適な実施形態によれば、テレビジョンチューナー１５０によって分離された映像データとしてはＣＶＢＳ（ｃｏｍｐｏｓｉｔｅ  ｖｉｄｅｏ  ｂｌａｎｋｉｎｇ  ａｎｄ  ｓｙｎｃ）信号が使用され、このＣＶＢＳ信号は映像処理部９３０に出力される。前記ＣＶＢＳ信号は色収差信号、輝度信号、及び同期信号などの複数の映像データが単一信号に混合された信号として知られている。
【００７３】
映像処理部９３０は、テレビジョンチューナー９２０から出力されたＣＶＢＳ信号から映像データを抽出して復調する。映像処理部９３０は前記復調された映像データを、それぞれのＲＧＢ信号に分割されたＲＧＢ信号などの映像データに変換し、この変換された映像データをモニタ部１１００に出力する。オーディオ出力部９４０は、テレビジョンチューナー９２０によって放送テレビジョン信号から分離されたオーディオ信号を埋め込み型多機能テレビジョン受像機に適したオーディオ信号に変換し、変換されたオーディオ信号をスピーカー９５０に出力する。
【００７４】
電源供給部９６０は、家庭に供給される交流電力などの電源を受信し、この電力を本発明の埋め込み型多機能テレビジョン受像機の本体部９００及びモニタ部１１００を駆動させるのに必要な電力に変換する。
【００７５】
制御部９７０は使用者が入力した命令と埋め込み型多機能テレビジョン受像機の動作状態に応じて埋め込み型多機能テレビジョン受像機の全体動作を制御する。制御部９７０はバーチャルマシンなどの便利なアプリケーションによって支援され、ソフトウェアによって埋め込み型多機能テレビジョン受像機の全体動作を制御することができる。使用者が入力部９１０を通じて操作命令を入力するなどのイベントが起こる場合、制御部９７０は埋め込み型多機能テレビジョン受像機の各構成要素を制御するのに必要な制御命令を発生する。
【００７６】
モニタ部１１０は本体部９００の収納部（図示せず）に収納されるか、あるいは使用者によって引き出される。モニタ部１１００はディスプレイ部１１１０及び映像駆動回路１１２０を含む。ディスプレイ部１１１０は前記映像処理部９３０から発生した映像信号を表示する。前記映像駆動回路１１２０は映像処理部９３０から伝送された映像信号を受信し、この映像信号をディスプレイ部１１１０に適したディスプレイデータに変換する。
【００７７】
ディスプレイ部１１１０は液晶ディスプレイなどの公知の構造を有することができ、本体部９００から伝送された映像信号を表示する。映像駆動回路１１２０は本体部９００の映像処理部９３０から伝送されたＲＧＢ信号などの映像信号を受信し、この映像信号をディスプレイ部１１１０に適したデータに変換する。たとえば、映像駆動回路１１２０は、ディスプレイ部１１１０の解像度を合わせるように補間及びデシメーション（ｄｅｃｉｍａｔｉｏｎ）を実行することで、受信された映像信号をスケールする。
【００７８】
さらに、映像駆動回路１１２０は、映像データをメモリに格納し、この映像データを圧縮／解凍するためのＣＯＤＥＣを含む。前記ＣＯＤＥＣは、ＭＰＥＧエンコーダー／デコーダーと、キャプチャーされた映像フレームを停止画像に圧縮、格納、読出しするためのＪＰＥＧエンコーダー／デコーダーを含む。前記ＭＰＥＧエンコーダー／デコーダー及びＪＰＥＧエンコーダー／デコーダーはＤＳＰ及びコアによって具現される。また、映像駆動回路１１２０は、画質を向上させるための鮮明度向上回路と、コントラスト及び明暗を調節するための付加の機能を有することができる。また、映像駆動回路１１２０はグラフィック効果を提供するための幾つかの簡単なフィルターを含むことができる。
【００７９】
図１７は本発明のほかの好適な実施形態による埋め込み型多機能テレビジョン受像機の概略ブロック図である。同図に示すように、埋め込み型多機能テレビジョン受像機の本体部９００は、本体マイクロホン９８０、インターホン処理部９９０、映像選択部１０００、及びオーディオ選択部１０１０を含む。本体マイクロホン９８０は使用者によって発生した音声を電気的オーディオ信号に変換して出力する。インターホン処理部９９０は、家庭の玄関に装着されたインターホンに設けられたカメラ及びインターホンマイクロホンから、訪問者の映像信号及びオーディオ信号を受信して出力する。前記インターホン処理部９９０は、本体部９００に設けられた本体マイクロホン９８０から入力された使用者オーディオ信号をインターホンのスピーカーなどの音声出力装置に出力する。前記映像選択部１０００はテレビジョンチューナー９２０又はインターホン処理部９９０から入力された映像信号のいずれか一つを映像処理部９３０に出力する。前記オーディオ選択部１０１０はテレビジョンチューナー９２０及びインターホン処理部９９０から入力されたオーディオ信号のいずれか一つをオーディオ出力部９４０に出力する。
【００８０】
訪問者が使用者の家庭を訪問してインターホンの呼出ボタンを押すと、制御部９７０は呼出ボタンが押されたことを感知し、訪問者が待っていることを本体部９００のスピーカー９５０を通じて使用者に知らせる。たとえば、使用者が入力部９１０の特定入力ボタンを押すとき、制御部９７０は入力ボタンによる入力信号を受信し、インターホン処理部９９０を駆動させる。インターホン処理部９９０は室外インターホンから訪問者の映像信号及びオーディオ信号を受信して、それぞれ映像選択部１０００及びオーディオ選択部１０１０に出力する。インターホン処理部９９０は本体部９００の本体マイクロホン９８０から使用者のオーディオ信号を受信し、使用者のオーディオ信号を室外インターホンの音声出力装置に出力する。
【００８１】
映像選択部１０００は、テレビジョンチューナー９２０及びインターホン処理部９９０から出力された映像信号のいずれか一つを、制御部９７０からの制御信号に応じて映像処理部９３０に出力する。映像処理部９３０は受信した映像信号をＲＧＢ信号などの映像信号に変換し、変換された信号を映像駆動回路１１２０に伝送する。映像駆動回路１１２０はディスプレイ部１１１０を通じて映像信号を表示する。
【００８２】
オーディオ選択部１０１０は、制御部９７０からの制御信号に応じて、テレビジョンチューナー９２０及びインターホン処理部９９０からのオーディオ信号のいずれか一つをオーディオ出力部９４０に出力する。オーディオ出力部９４０はオーディオ信号をスピーカー９５０を通じて可聴周波数に変換する。
【００８３】
本発明の好適な実施形態によれば、埋め込み型多機能テレビジョン受像機の本体部９００は電話回路部１０２０を含む。電話回路部１０２０は電話線を通じてリング信号及びオーディオ信号を受信してオーディオ選択部１０１０に出力する。電話回路部１０２０は、本体マイクロホン９８０から出力されたオーディオ信号を電話線を通じて伝送する。
【００８４】
電話回路部１０２０は本体部９００に連結された電話線を通じて入力されたリング信号を検出し、電話呼出があるという通知を制御部９７０に伝送する。電話回路部１０２０によってリング信号が検出されるとき、制御部９７０はリング信号を検出し、検出されたリング信号をオーディオ出力部１０１０に出力し、電話呼出があることをディスプレイ部１１１０を通じて使用者に知らせる。使用者が入力部９１０の特定入力ボタンを押すと、電話回路部１０２０は電話線を通じて伝送されたオーディオ信号をオーディオ選択部１０１０に伝送し、制御部９７０は制御信号を発生して、オーディオ信号をオーディオ出力部９４０に出力する。電話回路部１０２０は、本体マイクロホン９８０から入力された使用者のオーディオ信号を電話線を通じて伝送することにより、使用者のオーディオ信号を電話線を通じて連結された相手方に伝送する。したがって、使用者は、本発明の埋め込み型多機能テレビジョン受像機を使用して電話呼出を受信することができる。
【００８５】
本発明のほかの好適は実施形態によれば、埋め込み型多機能テレビジョン受像機の本体部９００は、室内悪臭を除去し酸素を発生させるための脱臭装置１０３０を含む。前記脱臭装置１０３０は、担子菌の菌糸体胞嚢１０３１と、電熱装置が取り付けられたプラスチック、セラミック及びガラスのいずれか一つからなった加熱部１０３２とを含む。担子菌の菌糸体胞嚢１０３１は加熱部１０３２の付近に位置する。加熱部１０３２が波長１，２００〜１，２５０ｎｍの赤外線を担子菌糸体に照射すると、担子菌糸体の培養産物は優れた脱臭効果を有する。この培養産物は、空気を陰イオン化処理することで空気中の酸素を活性させることにより、悪臭の主原因である陽イオンを中和させる。
【００８６】
本発明のほかの実施形態によれば、埋め込み型多機能テレビジョン受像機の本体部９００はホームオートメーションインターフェース１０４０を含む。家庭に設置されたホームオートメーションを制御するコンピュータに電気的に連結されたホームオートメーションインターフェース１０４０は、家庭の電気製品の操作命令を受信して伝送する。急激な産業発達につれて、現代人は住宅を居住空間としてだけ見なさなく、コンピュータ及び通信技術を用いて居住上の便宜さを提供するためにホームオートメーション技術が開発されている。
【００８７】
要するに、ホームオートメーションは、電気、給水、加熱、ロッキングなどの自動制御及び管理をコンピュータ及び電子通信技術を用いて可能にする。ホームオートメーションは、単一端末機を使用して室内又は室外の家庭用電気製品を制御することを目標として開発されている。ホームオートメーションのために、既に有線ＬＡＮ又は有線インターネットを用いたコンピュータ及び装置が一般的に使用されている。
【００８８】
本発明による埋め込み型多機能テレビジョン受像機は、ホームオートメーションを制御するコンピュータに無線又は有線で連結されて、家庭用電気製品を制御するのに必要な操作命令を受信して伝送するためのホームオートメーションインターフェース１０４０を含む。
【００８９】
たとえば、使用者が暖房の目的で住宅のボイラーを稼動するとき、使用者は制御部を操作することで、住宅の所望位置に設置されたボイラーの稼動を開始する。しかし、ホームオートメーションが取り付けられた住宅を制御するためのコンピュータとインターフェースされる埋め込み型多機能テレビジョン受像機１は、ボイラー稼動命令を使用者から受信し、その命令をホームオートメーション制御コンピュータに伝送する。コンピュータは命令を受信し、ＬＮＡ又はブルートゥースなどの通信技術を用いて稼動命令をボイラーに伝送する。
【産業上の利用可能性】
【００９０】
以上説明したように、本発明の埋め込み型多機能テレビジョン受像機によれば、埋め込み型多機能テレビジョン受像機を壁内に埋め込み、折畳型連結部を使用してモニタ部を引き出すことにより、埋め込み型多機能テレビジョン受像機を設置するための空間が不要になる。また、コンパクトな埋め込み型多機能テレビジョン受像機を開発することができる。
【００９１】
また、本発明の埋め込み型多機能テレビジョン受像機によれば、モニタ部が左右に回動するように連結部にヒンジで連結されるので、本体部から引き出されるモニタ部の視角を使用者の位置に応じて適切に調整することができる。
【００９２】
また、モニタ部と本体部に取り付けられる回動部と連結部に防水部が設けられるので、本発明による埋め込み型多機能テレビジョン受像機は、ケーブルを通じて浸透し得る水、水分又は湿気から保護して、内部回路の損傷を防止することができる。
【００９３】
また、浸透した水などがケース内に残留することを防止し、ケース内の内部回路が浸透した水などによって損傷することを防止するため、浸透した水、水分又は湿気をケースから排出するための排水孔がケースにさらに形成される。
【００９４】
また、モニタ部が意図に反して収納部から引き出されることを防止するため、本体部及びモニタ部には固定装置が設けられる。
【００９５】
また、室外インターホンから伝送された映像信号及びオーディオ信号を処理して出力することにより、使用者は訪問者を容易に確認することができ、訪問者と通話することができる。
【００９６】
電話回路部を通じて着信される呼出をモニタ部のモニタ部又はスピーカーによって使用者に通知し、前記着信呼出を連結することにより、電話を使用せずに電話呼出を受信することができる。
【００９７】
前述したように、本発明の埋め込み型多機能テレビジョン受像機は担子菌の菌糸体胞嚢からなった脱臭装置と電熱装置を有する加熱装置を含むため、室内悪臭を永久に取り除くことができる。
【００９８】
本発明の埋め込み型多機能テレビジョン受像機は、家庭に設置されたホームオートメーションを制御する制御部又はコンピュータに対して操作命令受信し伝送することができるインターフェースを含むため、使用者は単に本発明の埋め込み型多機能テレビジョン受像機を通じて操作命令を入力することで家庭用電気製品を操作することができる。
【００９９】
以上、本発明の好適な実施形態を例示の目的で開示したが、当業者であれば、添付する特許請求範囲に開示されたような本発明の範囲及び精神から逸脱せず多様な修正、付加及び代替が可能であろう。
【図面の簡単な説明】
【０１００】
本発明の前記及び／ほかの目的及び利点は添付図面を参照する以降の詳細な説明からより明らかに理解可能であろう。
【図１】本発明の第１実施形態による埋め込み型多機能テレビジョン受像機の正面図である。
【図２】本発明の第１実施形態による埋め込み型多機能テレビジョン受像機の断面図である。
【図３】本発明の第１実施形態による埋め込み型多機能テレビジョン受像機のモニタ部が壁に対して収納又は引出しされる状態を示す図である。
【図４】図３のモニタ部が左右に回動する状態を示す図である。
【図５】本発明の第１実施形態による埋め込み型多機能テレビジョン受像機の連結部の端部とモニタ部の回動部の構造を示す分解斜視図である。
【図６】本発明の第２実施形態による埋め込み型多機能テレビジョン受像機の正面図である。
【図７】図６の埋め込み型多機能テレビジョン受像機の平断面図である。
【図８】本発明の第２実施形態による埋め込み型多機能テレビジョン受像機の第２回動部の組立を示す結合斜視図である。
【図９】図６の埋め込み型多機能テレビジョン受像機の側断面図である。
【図１０】本発明の第２実施形態による埋め込み型多機能テレビジョン受像機のケースのガイドプレートを示す概略図である。
【図１１】本発明の第２実施形態による埋め込み型多機能テレビジョン受像機のモニタ部の収納状態を示す図である。
【図１２】図１１に示す本発明の第２実施形態による埋め込み型多機能テレビジョン受像機のモニタ部の引出し及び視角の調整を示す図である。
【図１３】本発明の第２実施形態による埋め込み型多機能テレビジョン受像機のモニタ部の固定装置を示す平断面図である。
【図１４】本発明のほかの実施形態による埋め込み型多機能テレビジョン受像機の固定装置及びモニタ部を示す平断面図である。
【図１５】本発明の第２実施形態による埋め込み型多機能テレビジョン受像機のモニタ部の把持部を示す図である。
【図１６】本発明の好適な実施形態による埋め込み型多機能テレビジョン受像機の概略ブロック図である。
【図１７】本発明のほかの好適な実施形態による埋め込み型多機能テレビジョン受像機の概略ブロック図である。
【図１】
2007515840.tif 000003
【図２】
2007515840.tif 000004
【図３】
2007515840.tif 000005
【図４】
2007515840.tif 000006
【図５】
2007515840.tif 000007
【図６】
2007515840.tif 000008
【図７】
2007515840.tif 000009
【図８】
2007515840.tif 000010
【図９】
2007515840.tif 000011
【図１０】
2007515840.tif 000012
【図１１】
2007515840.tif 000013
【図１２】
2007515840.tif 000014
【図１３】
2007515840.tif 000015
【図１４】
2007515840.tif 000016
【図１５】
2007515840.tif 000017
【図１６】
2007515840.tif 000018
【図１７】
2007515840.tif 000019
【国際調査報告】
2007515840.tif 000020